(57)【特許請求の範囲】
【請求項１】
パターンが表面に形成された回路基板と、
該回路基板の一面に配設された無線通信を行うための無線通信本体と、
前記回路基板の前記一面に配設された前記無線通信本体を覆いシールドするシールドカバーと、
前記無線通信本体と接続されたアンテナと、
適用される製品に取り付けるための取り付け部と、を備えた無線通信装置であって、
前記シールドカバーと前記アンテナと前記取り付け部とは、一枚の金属板で一体的に構成されており、
前記アンテナは、アンテナ本体部と給電部と短絡部とを有した逆Ｆ型アンテナであり、
前記短絡部は、前記アンテナの一端側に設けられ、
前記給電部は、前記回路基板の表面に形成された給電ランドと接続され、
前記シールドカバーは、前記無線通信本体に対向する天板部と、前記アンテナの短絡部を前記天板部と接続する短絡板部と、を有し、
前記取り付け部は、前記シールドカバーを挟んで前記アンテナと反対側に配置されていることを特徴とする無線通信装置。
【請求項２】
前記シールドカバーは、前記天板部と一体に設けられた複数の側板を有し、
前記シールドカバーの側面は、前記短絡板部の設けられた箇所を除いて、前記複数の側板で形成されていることを特徴とする請求項１に記載の無線通信装置。
【請求項３】
前記取り付け部は、前記側板の先端側に設けられ、
前記取り付け部には、金属製のねじが挿入される孔部が設けられていることを特徴とする請求項２に記載の無線通信装置。
【請求項４】
前記アンテナ本体部が折り曲げられていることを特徴とする請求項１乃至請求項３のいずれかに記載の無線通信装置。
【請求項５】
前記アンテナ本体部は、前記天板部と同一面上に配設されて、前記天板部と平行に延び、
前記取り付け部は、前記天板部とは異なる面上に配設されて、前記天板部と平行に前記天板部から離れる方向に延びていることを特徴とする請求項１乃至請求項４のいずれかに記載の無線通信装置。
【発明の詳細な説明】
【技術分野】
【０００１】
本発明は、無線通信システム等に適用される無線通信装置に関する。
【背景技術】
【０００２】
近年、無線通信技術の発達に伴い、アンテナを組み込んだ無線通信装置が各種提案されている。これらの無線通信装置は、回路基板の一面に高周波回路が配設される所定領域を金属製のシールドカバーで覆い、回路基板の一面の別領域にパターンアンテナ等を設ける構成が一般的である。
【０００３】
このような無線通信装置として、特許文献１では、無線装置９００が提案されている。図７は、従来例の無線装置９００を説明する図であって、図７（ａ）は、無線装置９００を示す斜視図であり、図７（ｂ）は、一枚の金属板を示す平面図であり、図７（ｃ）は、加工された金属板を基板９０１に実装した状態の斜視図である。
【０００４】
無線装置９００は、図示しない無線本体を基板９０１の一面に実装し、図７（ａ）に示すように、無線本体を覆うシールドケース９０３と板金アンテナ９０２とを互いに間隔を介して基板９０１の一面に配設している。また、シールドケース９０３と板金アンテナ９０２は、図７（ｂ）に示す一枚の金属板を加工することによって形成される。つまり、一枚の金属板から、板金アンテナ９０２とシールドケース９０３とが連結部９０４を介して連結された連結体９０５を形成して折り曲げ、その連結体９０５の形態で、図７（ｃ）に示すように、板金アンテナ９０２の部位とシールドケース９０３の部位を共に基板９０１に実装する。そして、その後に、連結部９０４を切断して、図７（ａ）のような状態とする。
【０００５】
また、無線装置９００の板金アンテナ９０２は、いわゆる、逆Ｆ型アンテナを構成しており、短絡部を形成する接地導体板９１２が基板９０１の表面に形成されたパターン（図示しない）を介して、シールドケース９０３と接続されている。
【先行技術文献】
【特許文献】
【０００６】
【特許文献１】特開２０１０−２５８７８９号公報
【発明の概要】
【発明が解決しようとする課題】
【０００７】
しかしながら、従来例の無線装置９００では、逆Ｆ型アンテナ（板金アンテナ９０２）の接地導体板９１２（短絡部）が基板９０１に配設されたパターンを介して基板９０１のグランドに接続されると共に、シールドケース９０３に接続されているので、グランドが安定せずアンテナ性能が劣化するという課題があった。
【０００８】
本発明は、上述した課題を解決するもので、簡単な構成でグランドが安定したアンテナを組み込んだ無線通信装置を提供することを目的とする。
【課題を解決するための手段】
【０００９】
この課題を解決するために、本発明の無線通信装置は、パターンが表面に形成された回路基板と、該回路基板の一面に配設された無線通信を行うための無線通信本体と、前記回路基板の前記一面に配設された前記無線通信本体を覆いシールドするシールドカバーと、前記無線通信本体と接続されたアンテナと、適用される製品に取り付けるための取り付け部と、を備えた無線通信装置であって、前記シールドカバーと前記アンテナと前記取り付け部とは、一枚の金属板で一体的に構成されており、前記アンテナは、アンテナ本体部と給電部と短絡部とを有した逆Ｆ型アンテナであり、前記短絡部は、前記アンテナの一端側に設けられ、前記給電部は、前記回路基板の表面に形成された給電ランドと接続され、前記シールドカバーは、前記無線通信本体に対向する天板部と、前記アンテナの短絡部を前記天板部と接続する短絡板部と、を有し、前記取り付け部は、前記シールドカバーを挟んで前記アンテナと反対側に配置されていることを特徴としている。
【００１０】
これによれば、本発明の無線通信装置は、アンテナの一端側に設けられた短絡部とシールドカバーの天板部とは、短絡板部で接続され、更に、シールドカバーには適用される製品に取り付けるための取り付け部を有して構成されている。このため、アンテナの短絡部がシールドカバーの天板部および取り付け部を介して、適用される製品のグランドに接続されるようになる。このことにより、従来例の基板（回路基板）を介してグランドに接続する場合と比較して、アンテナのグランドが強化される。従って、簡単な構成でありながらアンテナのグランドが安定し、アンテナ性能の向上を図ることができる。
【００１１】
また、本発明の無線通信装置は、前記シールドカバーは、前記天板部と一体に設けられた複数の側板を有し、前記シールドカバーの側面は、前記短絡板部の設けられた箇所を除いて、前記複数の側板で形成されていることを特徴としている。
【００１２】
これによれば、本発明の無線通信装置は、シールドカバーの側面が、短絡板部の設けられた箇所を除いて、天板部と一体に設けられた複数の側板で形成されているので、無線通信本体の側方および上方をつなぎ目無しで覆うことができる。これにより、シールド効果を向上させることができ、且つ、外部からの干渉電波を防ぎ、外部への不要輻射を防ぐことができる。
【００１３】
また、本発明の無線通信装置は、前記取り付け部が、前記側板の先端側に設けられ、前記取り付け部には、金属製のねじが挿入される孔部が設けられていることを特徴としている。
【００１４】
これによれば、本発明の無線通信装置は、取り付け部には金属製のねじが挿入される孔部が設けられているので、金属製のねじにより、簡単に製品本体に取り付けることができ、確実に製品のグランドに接続することができる。更に、側板と取り付け部との接続角度や取り付け部の折り曲げ角度等を調整することで、本発明の無線通信装置の製品本体への取り付け角度を自由にすることができ、製品への適用性の向上を図ることができる。
【００１５】
また、本発明の無線通信装置は、前記アンテナ本体部が折り曲げられていることを特徴としている。
【００１６】
これによれば、本発明の無線通信装置は、アンテナ本体部が折り曲げられることで、アンテナのアンテナ指向性を変化させることができ、アンテナ性能をより向上させることができる。例えば、無線通信装置の設置場所が当初予定から変更され、通信性能が劣化しても、アンテナを折り曲げてアンテナ指向性を変化させることで、通信性能を確保することができるということである。
【００１７】
また、本発明の無線通信装置は、前記アンテナ本体部は、前記天板部と同一面上に配設されて、前記天板部と平行に延び、前記取り付け部は、前記天板部とは異なる面上に配設されて、前記天板部と平行に前記天板部から離れる方向に延びていることを特徴としている。
【００１８】
これによれば、本発明の無線通信装置は、アンテナ本体部と天板部とが同一面に配設されているので、無線通信装置の全体の厚みを増やすこと無しに、アンテナ本体部と回路基板との距離を最大限離間させることができる。このため、アンテナ指向性に影響をおよぼす虞のある誘電体材料（エポキシ樹脂等）で形成される回路基板の影響が少なくなるため、アンテナ特性を向上させることができる。
【発明の効果】
【００１９】
本発明の無線通信装置は、簡単な構成でグランドが安定したアンテナを構成することができる。
【図面の簡単な説明】
【００２０】
【図１】本発明の第１実施形態の無線通信装置を説明する斜視図である。
【図２】本発明の第１実施形態の無線通信装置を説明する図であって、図２（ａ）は、図１に示すＺ１側から見た平面図であり、図２（ｂ）は、図１に示すＹ２側から見た側面図である。
【図３】本発明の第１実施形態に係わる無線通信装置の使用方法の一例を示した斜視図である。
【図４】本発明の第１実施形態に係わる無線通信装置の製造に用いた金属板を説明する平面図である。
【図５】本発明の第１実施形態に係わる無線通信装置の使用方法の他の例を示した斜視図である。
【図６】本発明の第１実施形態に係わる無線通信装置の変形例を説明する図であって、変形例４の無線通信装置の製造に用いた金属板の平面図である。
【図７】従来例の無線装置を説明する図であって、（ａ）は、無線装置を示す斜視図で、（ｂ）は、一枚の金属板を示す平面図で、（ｃ）は、加工された金属板を基板に実装した状態の斜視図である。
【発明を実施するための形態】
【００２１】
［第１実施形態］
以下に、第１実施形態における無線通信装置１００について、図１から図５までを用いて説明する。
【００２２】
第１実施形態における無線通信装置１００は、図１に示すような長方体の形状をして、図１および図２に示すように、パターン（図示しない）が表面に形成された回路基板１１と、回路基板１１の一面に配設された無線通信を行うための無線通信本体３１と、回路基板１１の一面に配設された無線通信本体３１を覆いシールドするシールドカバー２１と、無線通信本体３１と接続されたアンテナ５１と、を備えて構成されている。
【００２３】
先ず、無線通信装置１００の回路基板１１は、図１に示すように長方形で厚みのある板状の形状である。また、回路基板１１は銅の薄い電極（銅箔）により形成されるパターンと、基材として電気的に絶縁性の良いガラスエポキシ樹脂層等が交互に何層か折り重なった多層板、または、ガラスエポキシ樹脂層等の一面と他面に銅箔により形成されるパターンが設けられた両面板で構成されている。
【００２４】
また、回路基板１１の一面には、図１に示すように、破線で示す無線通信本体３１と、無線通信本体３１を覆うシールドカバー２１と、無線通信本体３１と接続されたアンテナ５１と、が配設されている。そして、回路基板１１の一面には、無線通信本体３１とシールドカバー２１とアンテナ５１のそれぞれと電気的に接続するためのパターン（図示しない）が形成されている。尚、図２（ａ）には、このパターンの内、アンテナ５１の一部（後述する給電部５１Ｂ）と半田等で接続された給電ランド１１Ａのみ図示している。また、この給電ランド１１Ａを介して、無線通信本体３１とアンテナ５１が電気的に接続されている。
【００２５】
次に、無線通信装置１００の無線通信本体３１は、前述したように、回路基板１１の一面に配設され、アンテナ５１を介して無線通信を行うための電子部品等で回路を構成している。この回路は、主に無線信号を送信するための送信回路と、無線信号を受信するための受信回路と、から構成されている。そして、この回路では、給電ランド１１Ａ側から見た無線通信本体３１のインピーダンスは、５０Ωに整合されて構成されていると共に、アンテナ５１の給電部５１Ｂもインピーダンスが５０Ωに整合されて形成されている。これにより、無線通信本体３１と、アンテナ５１と、の間で無線信号を効率的にやり取りすることができる。
【００２６】
無線通信本体３１の送信回路は、送信データを無線信号に変換してアンテナ５１へ送る。このとき、無線信号を遠くへ送るために無線信号のレベルを大きくする。このため、無線通信本体３１から発生する電磁波（電波）が外部の電子機器へ漏洩する（外部への不要輻射）虞がある。
【００２７】
無線通信本体３１の受信回路は、通信相手からの微弱な電波がアンテナ５１を介して受信し、受信した無線信号を受信データに変換する。このとき、受信回路は外部の電子機器から侵入する電磁波（電波）によって妨害を受ける（外部からの干渉電波）虞がある。
【００２８】
次に、無線通信装置１００のシールドカバー２１は、図１および図２（ｂ）に示すように、箱形形状で、無線通信本体３１と対向する天板部２１Ａと、天板部２１Ａと一体に設けられた４つの側板２１Ｂと、天板部２１Ａから同一面に延設された短絡板部２１Ｃと、から構成されている。そして、シールドカバー２１は、無線通信本体３１から発生する電磁波が外部の電子機器へ漏洩（外部への不要輻射）することを防止し、あるいは外部の電子機器から無線通信本体３１へ侵入する電磁波（外部からの干渉電波）を遮蔽するように、無線通信本体３１の全域を覆うように配設されている。尚、詳細な図示はしていないが、シールドカバー２１の側板２１Ｂと、回路基板１１のグランドに接続するためのパターンと、が半田付け等で接続されて、無線通信本体３１のシールドが確実なものとなっている。
【００２９】
シールドカバー２１の天板部２１Ａは、図１に示すように、長方形の形状で形成され、無線通信本体３１の全域を覆うようして、図２（ｂ）に示すように回路基板１１の一面に配設された無線通信本体３１と対向して配設されている。
【００３０】
シールドカバー２１の側板２１Ｂは、シールドカバー２１の側面を構成しており、図１および図２（ｂ）に示すように、天板部２１Ａの四方端からそれぞれ下方（図１に示すＺ２方向）に延設されており、短絡板部２１Ｃが設けられた箇所を除いて、それぞれ天板部２１Ａと一体に形成されている。また、４つの側板２１Ｂの高さは、無線通信本体３１を構成する電子部品の中で、一番高さが高い電子部品よりも少しだけ高く形成され、無線通信装置１００の薄型化を図っている。従って、本発明の無線通信装置１００は、シールドカバー２１の側面が、短絡板部２１Ｃの設けられた箇所を除いて、天板部２１Ａと一体に設けられた４つの側板２１Ｂで形成されているので、無線通信本体３１の側方および上方をつなぎ目無しで覆うことができる。これにより、シールド効果を向上させることができ、外部からの干渉電波を防ぎ、外部への不要輻射を防ぐことができる。
【００３１】
シールドカバー２１の短絡板部２１Ｃは、図２（ａ）および図２（ｂ）に示すように、アンテナ５１（後述する短絡部５１Ｃ）とシールドカバー２１の天板部２１Ａとを接続している。また、短絡板部２１Ｃは、アンテナ５１（後述する短絡部５１Ｃ）と同じ幅に形成されている。
【００３２】
次に、無線通信装置１００のアンテナ５１は、図２（ａ）に示すように、アンテナ本体部５１Ａと給電部５１Ｂと短絡部５１Ｃとを有した逆Ｆ型アンテナである。この逆Ｆ型アンテナは、アルファベットのＦ文字の逆形状で形成され、アンテナ５１のエレメントの片方をグランドにすることにより動作する接地アンテナの一つである。
【００３３】
また、アンテナ５１の一端側に設けられた短絡部５１Ｃと、無線通信本体３１に対向するシールドカバー２１の天板部２１Ａと、は短絡板部２１Ｃで接続され、アンテナ５１の給電部５１Ｂは、回路基板１１の表面に形成された給電ランド１１Ａと接続されている。また、図１および図２（ｂ）に示すように、アンテナ本体部５１Ａと、天板部２１Ａと、は同一面に配設されている。従って、本発明の無線通信装置１００は、アンテナ本体部５１Ａと天板部２１Ａとが同一面に配設されているので、無線通信装置１００の全体の厚みを増やすこと無しに、アンテナ本体部５１Ａと回路基板１１との距離を最大限離間させることができる。このため、アンテナ５１の指向性に影響をおよぼす虞のある誘電体材料（エポキシ樹脂等）で形成される回路基板１１からの影響が少なくなるため、アンテナ特性を向上させることができる。
【００３４】
アンテナ５１のアンテナ本体部５１Ａは、アンテナ特性を左右する主要なエレメントである。また、アンテナ本体部５１Ａは、無線通信本体３１からの無線信号が給電部５１Ｂを介して効率的に電波に変換（送信）する。また、アンテナ本体部５１Ａは、外部から送信された微弱な電波を効率的に無線信号に変換（受信）して、無線通信本体３１へ送る。つまり、アンテナ本体部５１Ａは可逆性があり、送信と受信を兼用している。
【００３５】
また、アンテナ本体部５１Ａは、図３に示す一例のように、折り曲げることができる。これにより、アンテナ特性の一つであるアンテナ指向性を変化させることができ、アンテナ性能を向上させることができる。例えば、無線通信装置１００の設置場所が当初予定から変更され、通信性能が劣化しても、アンテナ５１を折り曲げてアンテナ指向性を変化させることで、通信性能を確保することができる。また、このような使用方法ができるので、本発明の無線通信装置１００は、使い勝手が良いものである。
【００３６】
アンテナ５１の給電部５１Ｂは、インピーダンスが５０Ωに整合されて形成され、回路基板１１の一面に形成された給電ランド１１Ａを介して無線通信本体３１と接続されて、無線通信本体３１との間で無線信号を効率的にやり取りする。
【００３７】
アンテナ５１の短絡部５１Ｃは、グランドと接続されて形成され、アンテナ５１をアンテナ動作させる。アンテナ５１は接地アンテナであるため、短絡部５１Ｃを強いグランドに接続させる無線通信装置１００の構成にするほど、アンテナ特性の向上と安定化が図られる。
【００３８】
ここで、無線通信装置１００のシールドカバー２１とアンテナ５１の作製方法について、図４を用いて簡単に説明する。図４は、本発明の第１実施形態に係わる無線通信装置１００に用いた金属板を説明する平面図である。
【００３９】
シールドカバー２１とアンテナ５１の作製方法は、先ず、図４に示すような外形形状になるように、金型を用いて一枚の金属板に打ち抜き加工を行い、加工シート７０を作製する。ここでの金属板として、導電率が高い銅系の金属材料（例えば洋白等）を使用している。また、この金属材料として導電率が高い材質を用いているのは、シールドカバー２１のシールド性能の向上と、アンテナ５１のアンテナ性能の向上と、を図るためである。
【００４０】
次に、この加工シート７０に対して、図４に示す山折り線（破線）および谷折り線（一点鎖線）に沿って曲げ加工を行い、図１に示すような立体的なシールドカバー２１およびアンテナ５１を形成している。以上のようにして、簡単な工程でシールドカバー２１およびアンテナ５１を作製することができる。
【００４１】
また、前述したように、シールドカバー２１とアンテナ５１とが一枚の金属板で構成されており、アンテナ５１の給電部５１Ｂが折り曲げられて、回路基板１１の給電ランド１１Ａと接続されているので、シールドカバー２１とアンテナ５１とを一つの部品として回路基板１１に取り付けることができる。このため、基板９０１に取り付けてからシールドケース９０３と板金アンテナ９０２とを切断する従来例のような方法を用いる必要が無い。このように、本発明の第１実施形態では、より簡単な工程で、シールドカバー２１とアンテナ５１とを作製することができる。
【００４２】
また、本発明の第１実施形態では、シールドカバー２１とアンテナ５１とを切断する必要が無く、シールドカバー２１とアンテナ５１とを一つの部品として回路基板１１に取り付けることができる。このため、切断時におけるアンテナ５１の変形によるアンテナ性能の劣化を防止することができる。
【００４３】
また、本発明の第１実施形態では、シールドカバー２１の天板部２１Ａと、アンテナ５１のアンテナ本体部５１Ａおよび短絡部５１Ｃと、が同一面であるので、余計に折り曲げることが無いので、容易にシールドカバー２１およびアンテナ５１を作製することができる。
【００４４】
最後に、無線通信装置１００の取り付け部２５は、適用される製品に取り付けるために設けられ、図２（ｂ）に示すように、シールドカバー２１の側板２１Ｂの先端側に連続して形成され、図４に示すように、シールドカバー２１と一体にして作製されている。
【００４５】
また、取り付け部２５の中央部分には、図１および図２（ａ）に示すように、円形形状の孔部２５Ａが設けられ、無線通信装置１００が製品に適用された際には、この孔部２５Ａに金属製のねじが挿入されて、簡単にして確実に製品に取り付けることができる。
【００４６】
また、取り付け部２５は、この金属製のねじを介して、適用される製品のグランドに接続されている。つまり、アンテナ５１は、シールドカバー２１の短絡板部２１Ｃと接続されて、シールドカバー２１および取り付け部２５を介して、適用される製品のグランドに接続されるようになる。このため、従来例の基板９０１を介してグランドに接続する場合と比較して、アンテナ５１のグランドが強化される。これにより、簡単な構成でありながらアンテナ５１のグランドが安定し、アンテナ性能の向上を図ることができる。
【００４７】
また、前述したように、取り付け部２５と一体に形成されたシールドカバー２１の側板２１Ｂが回路基板１１のパターンに半田付けされているため、無線通信装置１００と適用される製品との間の取り付け強度が強いものとなっている。
【００４８】
また、取り付け部２５は、図５に示す一例のように、折り曲げることができる。これにより、無線通信装置１００の製品本体への取り付け角度を自由に変更することができ、例えば、通信性能を確保するためにアンテナ５１の向きを変化させたり、他の部品との干渉を避けたりすることができる。このことにより、製品への適用性の向上を図ることができ、このような使用方法ができるので、本発明の無線通信装置１００は、使い勝手が良いものである。
【００４９】
以上のように構成された本発明の第１実施形態の無線通信装置１００における、効果について、以下にまとめて説明する。
【００５０】
本発明の第１実施形態の無線通信装置１００は、アンテナ５１の一端側に設けられた短絡部５１Ｃとシールドカバー２１の天板部２１Ａとは、短絡板部２１Ｃで接続され、更に、シールドカバー２１には適用される製品に取り付けるための取り付け部２５を有して構成されている。このため、アンテナ５１の短絡部５１Ｃがシールドカバー２１の天板部２１Ａおよび取り付け部２５を介して、適用される製品のグランドに接続されるようになる。このことにより、従来例の基板９０１（回路基板１１）を介してグランドに接続する場合と比較して、アンテナ５１のグランドが強化される。従って、簡単な構成でありながらアンテナ５１のグランドが安定し、アンテナ性能の向上を図ることができる。
【００５１】
また、シールドカバー２１の側面が、短絡板部２１Ｃの設けられた箇所を除いて、天板部２１Ａと一体に設けられた複数の側板２１Ｂで形成されているので、無線通信本体３１の側方および上方をつなぎ目無しで覆うことができる。これにより、シールド効果を向上させることができ、且つ、外部からの（干渉）電磁波を遮蔽し、外部へ（妨害）電磁波の漏洩を防ぐことができる。
【００５２】
また、取り付け部２５には、金属製のねじが挿入される孔部２５Ａが設けられているので、金属製のねじにより、簡単に製品本体に取り付けることができ、確実に製品のグランドに接続することができる。更に、側板２１Ｂと、取り付け部２５と、の接続角度や取り付け部２５の折り曲げ角度等を調整することで、本発明の無線通信装置１００の製品本体への取り付け角度を自由にすることができ、製品への適用性の向上を図ることができる。
【００５３】
また、アンテナ本体部５１Ａが折り曲げられることで、アンテナ５１のアンテナ指向性を変化させることができ、アンテナ性能をより向上させることができる。例えば、無線通信装置１００の設置場所が当初予定から変更され、通信性能が劣化しても、アンテナ５１を折り曲げてアンテナ指向性を変化させることで、通信性能を確保することができるということである。
【００５４】
また、アンテナ本体部５１Ａと天板部２１Ａとが同一面に配設されているので、無線通信装置１００の全体の厚みを増やすこと無しに、アンテナ本体部５１Ａと回路基板１１との距離を最大限離間させることができる。このため、アンテナ指向性に影響をおよぼす虞のある誘電体材料（エポキシ樹脂等）で形成される回路基板１１の影響が少なくなるため、アンテナ特性を向上させることができる。
【００５５】
以上のように、本発明の実施形態に係わる無線通信装置１００を具体的に説明したが、本発明は上記の実施形態に限定されるものでは無く、要旨を逸脱しない範囲で種々変更して実施することが可能である。例えば次のように変形して実施することができ、これらの実施形態も本発明の技術的範囲に属する。
【００５６】
＜変形例１＞
第１実施形態では、取り付け部２５も一枚の金属板で、シールドカバー２１およびアンテナ５１と一体にして好適に作製したが、これに限るものでは無く、例えば、取り付け部２５がシールドカバー２１の天板部２１Ａに半田付けされて構成されていても良い。
【００５７】
＜変形例２＞
第１実施形態では、無線通信装置１００にアンテナ５１を１個設けたが、複数個設けても良い。
【００５８】
＜変形例３＞
第１実施形態では、取り付け部２５の孔部２５Ａは丸穴加工を施した構成を示したが、孔部２５Ａにタップ加工（丸穴の内側にネジを刻む）を施しても良い。
【００５９】
＜変形例４＞
第１実施形態では、シールドカバー２１が短絡板部２１Ｃの設けられた箇所を除いて複数の側板２１Ｂで形成されていたが（図４参照）、これに限るものでは無く、例えば、図６に示すように、短絡板部２１Ｃの設けられた箇所以外に、側板２１Ｂが形成されていない部分があっても良い。
【００６０】
＜変形例５＞
第１実施形態では、シールドカバー２１の天板部２１Ａと、アンテナ５１のアンテナ本体部５１Ａと、が同一面に配設されるように構成したが、これに限るものでは無く、例えば、誘電体材料である回路基板１１からの影響を更に少なくするため、アンテナ５１を回路基板１１から更に離して配設した構成でも良い。
【００６１】
＜変形例６＞
第１実施形態では、回路基板１１は銅箔により形成されるパターンと、ガラスエポキシ樹脂層と、で構成されているが、銀ペーストを印刷、焼成して形成されるパターンと、ＬＴＣＣ（ＬＯＷ  ＴＥＭＰＥＲＡＴＵＲＥ  ＣＯ−ＦＩＲＥＤ  ＣＥＲＡＭＩＣＳ）と、で構成しても良い。
【符号の説明】
【００６２】
１１    回路基板
１１Ａ  給電ランド
２１    シールドカバー
２１Ａ  天板部
２１Ｂ  側板
２１Ｃ  短絡板部
２５    取り付け部
２５Ａ  孔部
３１    無線通信本体
５１    アンテナ
５１Ａ  アンテナ本体部
５１Ｂ  給電部
５１Ｃ  短絡部
７０    加工シート
１００  無線通信装置
９００  無線装置
９０１  基板
９０２  板金アンテナ
９０３  シールドケース
９０４  連結部
９０５  連結体
９１２  接地導体板
【図１】
0006319801.tif 000002
【図２】
0006319801.tif 000003
【図３】
0006319801.tif 000004
【図４】
0006319801.tif 000005
【図５】
0006319801.tif 000006
【図６】
0006319801.tif 000007
【図７】
0006319801.tif 000008